(57)【要約】洗浄体（１２，１２０）を備えた手持形洗い具（１０）であって、洗浄体（１２，１２０）が少なくとも周囲の一部分で、平面（１４）に形成されているエッジ（１３）によって取り囲まれており、かつ洗浄体（１２，１２０）が前記平面（１４）の一方の側で球状に形成されている形式のものにおいて、洗浄体（１２，１２０）がエッジ（１３）の両方の側で扁平な球状に形成されており、かつ該両側で扁平な球状の洗浄体（１２，１２０）の周囲が少なくともそのエッジ（１３）の領域において長円形であるようにした。
2004516912.tif 000002
【特許請求の範囲】
【請求項１】
洗浄体（１２，１２０）を備えた手持形洗い具（１０）であって、洗浄体（１２，１２０）が少なくとも周囲の一部分で、平面（１４）に形成されているエッジ（１３）によって取り囲まれており、かつ洗浄体（１２，１２０）が前記平面（１４）の一方の側で球状に形成されている形式のものにおいて、洗浄体（１２，１２０）がエッジ（１３）の両方の側で扁平な球状に形成されており、かつ該両側で扁平な球状の洗浄体（１２，１２０）の周囲が少なくともそのエッジ（１３）の領域において長円形であることを特徴とする手持形洗い具。
【請求項２】
洗浄体（１２）に柄（１１）が取り付けられており、洗浄体（１２）が柄（１１）に関して、エッジ（１３）により形成された平面（１４）において非対称的に張り出している洗浄突出部（１５）を有している、請求項１記載の手持形洗い具、特に便所用掃除道具。
【請求項３】
洗浄体（１２）の洗浄突出部（１５）が柄（１１）と共に、鋭角的な角度（α）を成している、請求項２記載の手持形洗い具。
【請求項４】
洗浄体（１２０）に柄（１１０）が事実上一直線に、エッジ（１３）によって形成された平面（１４）に沿って取り付けられている、請求項１から３までのいずれか１項記載の手持形洗い具、特に身体洗い具。
【請求項５】
洗浄体（１２）が扁平な水滴形に形成されており、水滴形状尖端が洗浄突出部（１５）を形成している、請求項１から４までのいずれか１項記載の手持形洗い具。
【請求項６】
エッジ（１３）が環状に延在するように形成されており、エッジ（１３）により形成された平面（１４）の領域において完全に長円形の洗浄体（１２，１２０）を有している、請求項１から５までのいずれか１項記載の手持形洗い具。
【請求項７】
エッジ（１３）が洗浄体（１２，１２０）の、鋭利に交会する湾曲面（１６，１７）によって形成されている、請求項１から６までのいずれか１項記載の手持形洗い具。
【請求項８】
洗浄体（１２）が柄（１１）のために、柄方向に延びるこぶ形または瓶首形の連結体（１８）を有している、請求項１から７までのいずれか１項記載の手持形洗い具。
【請求項９】
連結体（１８）が少なくとも、洗浄体（１２）の、環状に延在するエッジ（１３）の近傍において球状に形成されており、かつ／または洗浄体（１２）および連結体（１８）が一体的に形成されている、請求項１から８までのいずれか１項記載の手持形洗い具。
【請求項１０】
連結体（１８）が、洗浄体（１２）内にまで突入したアダプタピン（１９）を、柄連結端部（１９′）を除いて取り囲んでいるか、または柄（１１）を直接に固定する切欠き（３０）を有している、請求項１から９までのいずれか１項記載の手持形洗い具。
【請求項１１】
柄（１１，１１０）が、長手方向で洗浄体（１２，１２０）内に配置された切欠き（３０）内に、外から操作可能な係止装置（３１）により固定されている、請求項１から１０までのいずれか１項記載の手持形洗い具。
【請求項１２】
洗浄体（１２）および／または連結体（１８）が、自己加脂性の表面を備えた防汚性のポリウレタンフォームから成っており、かつ／または洗浄体（１２）および／または連結体（１８）に防汚性の被覆層が設けられている、請求項１から１１までのいずれか１項記載の手持形洗い具。
【請求項１３】
洗浄体（１２）の湾曲面（１６，１７）および／または連結体（１８）の球状面（２０）に、互いに平行で連続的でかつフラットな先細リブ（２１）が設けられている、請求項１から１２までのいずれか１項記載の手持形洗い具。
【請求項１４】
先細リブ（２１）が連結体（１８）に、その球状面（２０）から、その柄側の端部（１８′）にまでわたって形成されている、請求項１から１３までのいずれか１項記載の手持形洗い具。
【請求項１５】
フラットな先細リブ（２１）が、円形区分に従った横断面を有するように形成されており、かつ／または平坦化されたリブ（４００）と交互に設けられている、請求項１３または１４記載の手持形洗い具。
【請求項１６】
洗浄体（１２）の先細リブ（２１）が、洗浄体の周囲を環状に延在するエッジ（１３）に対して距離を置いて終わっている、請求項１から１５までのいずれか１項記載の手持形洗い具。
【請求項１７】
先細リブ（２１）が、洗浄体（１２）の長手方向軸線（１２′）に対して斜めに配置されている、請求項１３から１６までのいずれか１項記載の手持形洗い具。
【請求項１８】
先細リブ（２１）のリブエッジ（２１′，２１″）が波形に形成されており、かつ隣接する波形のリブエッジ（２１′，２１″）が、長手方向で位相ズレを有して配置されている、請求項１から１７までのいずれか１項記載の手持形洗い具。
【請求項１９】
２つのリブ（２１）間にブラシ帯（３２）および／またはフォーム帯（３３）が配置されている、請求項１から１８までのいずれか１項記載の手持形洗い具。
【請求項２０】
一方の球状の湾曲面（１７）が先細リブ（２１）で占められており、他方の球状の湾曲面（１６）がエッジ（１３）の近傍において環状に、グリップ用いぼ状突起（３４）で占められている、請求項１から１９までのいずれか１項記載の手持形洗い具。
【請求項２１】
洗浄体（１２０）に、調整可能なタイマ（３５）および／または温度計（３６）が設けられている、請求項１から２０までのいずれか１項記載の手持形洗い具。
【請求項２２】
洗浄体（１２，１２０）が少なくとも一方の湾曲面（１７）および／または球状面に、小面積の突起（３７〜３７Ｖ）を有しており、該突起（３７〜３７Ｖ）が前記の面にわたって均等にかつ／または列を成して分布しており、かつ外側に角張った縁を備えた輪郭を有して形成されている、請求項１から２１までのいずれか１項記載の手持形洗い具。
【請求項２３】
洗浄体（１２，１２０）から離間した柄端部（３８）に、洗浄体（１２，１２０）の湾曲面（１７）の構造に相当する構造を備えたグリップ（３９）が設けられている、請求項１から２２のまでのいずれか１項記載の手持形洗い具。
【請求項２４】
手持形洗い具が洗浄体（１２，１２０）により支持容器（５０）内に支持されて保管されている、請求項１から２３までのいずれか１項記載の手持形洗い具。
【請求項２５】
支持容器（５０）に支持縁部（５１）が設けられており、支持縁部（５１）が鉛直方向に対して所定の角度を有して傾けて配置されており、この所定の角度が、柄（１１）と洗浄体（１２）の洗浄突出部（１５）との間で形成された鋭角的な角度（α）に相当している、請求項２４記載の手持形洗い具。
【請求項２６】
支持容器（５０）が円筒形の外壁（５２）を有しており、該外壁（５２）の、上側の縁部（５３）から、外壁（５２）の内部に位置する支持縁部（５１）にかけて、テーパを成した内壁（５４）が少なくとも部分的に形成されている、請求項２４または２５記載の手持形洗い具。
【請求項２７】
支持縁部（５１）が環状に、一貫した載置面すなわちシート面として形成されており、該載置面が、載置された洗浄体（１２，１２０）の下側を通気する少なくとも１つの溝（５５）により中断されている、請求項２４から２６までのいずれか１項記載の手持形洗い具。
【請求項２８】
支持容器（５０）が滴受け皿（５６）を有しており、該滴受け皿（５６）が支持縁部（５１）の内周部（５１′）に連続的に接続されており、かつ／または滴受け皿（５６）および／または内壁（５４）が溝（５５）の領域で貫通孔なしに溝形成されている、請求項２４から２７までのいずれか１項記載の手持形洗い具。
【請求項２９】
支持容器（５０）が一貫して同じ壁厚さを備えて、プラスチックまたはガラスまたは金属から製作されている、請求項２４から２８までのいずれか１項記載の手持形洗い具。
【請求項３０】
支持縁部（５１）が、下側の湾曲面（１７）の、エッジ（１３）に隣接する区分に対応するように傾けられているかつ／または形成されている、請求項２４から２９までのいずれか１項記載の手持形洗い具。
【発明の詳細な説明】
【０００１】
本発明は、洗浄体を備えた手持形洗い具であって、洗浄体が少なくとも周囲の一部分で、平面に沿って形成されているエッジによって取り囲まれており、かつ洗浄体が前記平面の一方の側で球状に形成されている形式のものに関する。
【０００２】
上記のような特徴を備えた手持形洗い具はドイツ連邦共和国特許出願公開第１９９４１７１８号明細書から公知である。公知の洗浄体は実質的に円錐台形であって、その小さい方の頂面は半球状に形成されており、その大きい方の底面は、角を強く丸められたエッジを形成している。このエッジ／面取り部に連結体が柄に向かって接続されている。この連結体は回転対称形に凹面状に形成されている。その結果、この公知の手持形洗い具は洗浄体の領域で極めて大容積に形成されている。それゆえ、特に便器に関して言えることであるが狭小な領域および肩部のために、この公知の手持形洗い具は最適ではない。
【０００３】
したがって本発明の課題は、冒頭で述べたような特徴を備えた手持形洗い具を改良して、洗浄したい対象の、大容積の領域を洗浄するためだけではなく、衛生分野、特にＷＣの便器によく見られるような小容積の領域およびアンダカット部を洗浄するためにも適するように構成することである。さらに、手持形洗い具はしかも、例えば身体洗い具としても使用できるようにするために、特に扱いやすいものであるべきである。
【０００４】
上記の課題は、洗浄体がエッジの両方の側で扁平な球状に形成されており、かつ該両側で扁平な球状の洗浄体の周囲が少なくともそのエッジの領域において長円形であることにより解決される。
【０００５】
本発明にとって重要であることは、洗浄体が、洗浄体のエッジにより形成された平面の両側で扁平な球状に形成されている点である。その結果として、洗浄体は２つの相対した垂直の面で、異なる大きさの横断面を有している。洗浄体のエッジにより決定されている平面の寸法は、洗浄に関する要求に応じた大きさに、例えば便器のサイホン屈曲部の横断面の大きさに関連して、または洗浄体がいわゆる「マッサージブラシ」または「浴用ブラシ」として使用される場合には、洗いたい身体の表面の大きさに関連して適当な大きさに形成されることができる。長円形のエッジは有利には、大概にして衛生分野で使用される、同じく長円形の横断面または半径を有した容器に相当しており、この容器はそれゆえ簡単かつ確実に洗浄され得る。エッジにより形成された平面に対して垂直に見た横断面は、洗浄体を扁平球状に形成したために小さい。
【０００６】
特にＷＣ掃除道具としての手持形洗い具の変化例において、洗浄体に柄が取り付けられており、洗浄体が柄に関して、エッジにより形成された平面において非対称的に張り出している洗浄突出部を有しているのが有利である。洗浄体を、非対称的に張り出した洗浄突出部として形成したことに関連して、アンダカット部内を洗浄し得る洗浄舌片が生ぜしめられる。さらに、扁平球状に形成したことは、フラットに湾曲した面が良好に洗浄され得ることに貢献する。それというのは、洗浄体の扁平球状の形状は、例えば便器皿部の、フラットな凹面状の形状にほぼ一致するようなっていて、それにより大面積の洗浄効果が生ぜしめられるからである。
【０００７】
手持形洗い具は、洗浄体の洗浄突出部が柄と共に、鋭角的な角度を成しているように構成されることができる。したがって、洗浄突出部はハーケン形もしくはフック形に配置されているので、実質的に鉛直に配置された面を備えたアンダカット部も良好に洗浄されることができる。それゆえ、手持形洗い具の操作性は、その他の場合では問題事例として見なされてしまうような洗浄領域においても著しく改善される。
【０００８】
手持形洗い具を特に身体洗い具として形成した場合、洗浄体に柄が事実上一直線に、エッジによって形成された平面に沿って取り付けられているのが有利である。そのような身体洗い具の、両面で扁平球状に形成された洗浄体は、好適なマッサージブラシ体および浴用ブラシ体である。洗浄体の、扁平球状の形状は、人体をマッサージまたはブラッシングするために良好に適合されている。
【０００９】
手持形洗い具の別の重要な構成は、洗浄体が扁平な水滴形に形成されており、水滴形状尖端が洗浄突出部を形成していることに見ることができる。手持形洗浄体の水滴形状は、洗浄体が水滴形状尖端を備えて形成されていることを意味している。水滴形状尖端は一方で、極めて小容積の領域内にも進入して、そこを洗浄することができるために十分に狭幅に構成されている。他方で水滴形尖端は、洗浄体が、必要な剛性を保つために十分な大きさの容積で構成されている。扁平な水滴形状の別のサイドには大きな半径が存在しており、この半径部分により、これに等しいかそれよりも大きな半径を備えた、例えば便器の、凹面状に湾曲した洗浄したい面の領域が洗浄されることができる。したがって、洗浄体を水滴形に形成したことにより、大きな半径を有した洗浄面のための優れた洗浄可能性が提供されており、しかも、小さな半径を有しているかまたは接近し難いアンダカット領域内に位置している洗浄面のためにも優れた洗浄可能性が提供されている。
【００１０】
手持形洗い具は有利には、エッジが環状に延在するように形成されており、エッジにより形成された平面の領域において完全に長円形の洗浄体を有しているように構成されることができる。洗浄体を完全に長円形に形成したことにより、結果として、洗浄体がより容易に使用され得るようになる。エッジが洗浄体の周囲の部分領域にのみ存在しているために、洗浄体のエッジを使用するために洗浄体を回転させなければならない必要がなくなる。それゆえ、洗浄体は特に扱い易くもある。
【００１１】
手持形洗い具の別の有利な構成は、エッジが洗浄体の、鋭角的に交会する湾曲面によって形成されていることに見て取れる。洗浄体の鋭利に交会する湾曲面は相応にシャープなエッジを生ぜしめる。このエッジにより固化した表皮層も、洗いたい表面から剥離させられる。
【００１２】
手持形洗い具は、洗浄体が柄のために、柄方向に延びるこぶ形または瓶首形の連結体を有していることによりさらに発展させられることができる。連結体の瓶首形状は細いので、これによって、狭い洗浄したい対象内への洗浄体の挿入が妨害されてしまうことは少ない。
【００１３】
連結体が少なくとも、洗浄体の、環状に延在するエッジの近傍において球状に形成されており、かつ／または洗浄体と連結体とが一体的に形成されているように手持形洗い具を形成することは有利である。その球状に形成された領域で連結体が洗浄課題に、例えば実質的に柄平行に配置されていて洗いたい表面に接近することができる。洗浄体と連結体とを一体的に形成する場合、両体は同じ材料から成っており、一緒に唯一の製作プロセスにより製作されることができる。
【００１４】
手持形洗い具の安定性を高めるには、連結体が、洗浄体内にまで突入したアダプタピンを、柄連結端部を除いて取り囲んでいるか、または柄を直接に固定する切欠きを有しているように形成されているとよい。アダプタピンの柄連結端部が一般に柄によって包囲されていることに特に由来して、この包囲されたアダプタピンは汚れに対して完全に保護されている。より安価な構成はアダプタピンを省略した場合に得られる。この場合、連結体は切欠きを有しており、この切欠き内に柄が直接固定されているようになっている。柄は切欠き内でプレス嵌めまたは接着されていることができるし、または連結体の材料で連結体の射出成形時に包囲されていることができる。このことは、連結体が表面層付フォームもしくはスキン層付フォーム（Ｉｎｔｅｇｒａｌｓｃｈａｕｍ）から製作されている場合に特に有利である。
【００１５】
有利には、洗浄体および／または連結体が、自己加脂性の表面を備えた防汚性のポリウレタンフォームから成っており、かつ／または洗浄体および／または連結体に防汚性の被覆層が設けられている。それにより、手持形洗い具がそれ程早く汚れてしまうようなことはない。汚れは付着面を見出せずに水もしくは液体により洗い流される。防汚性の被覆層はテフロン状の付着防止効果を、特に油脂に対して有していることができる。この被覆層は適当な温度で持続的作用性に焼付けられていることができる。
【００１６】
手持形洗い具の有利な構成は、洗浄体の湾曲面および／または連結体の球状面に、互いに平行で連続的でかつフラットな先細リブが設けられていることにより優れている。この先細リブによって、洗浄体を、洗いたい面に押し付けて動かす際に洗浄効果が強められる。それというのは、先細リブが汚れを削剥するからである。
【００１７】
上記の意図で手持形洗い具は、先細リブが連結体に、その球状面から、その柄側の端部にまでわたって形成されているように構成されることができる。このように形成した場合、連結体の非球状の面も洗浄のために利用することができ、このことは例えば、洗いたい非球面状の表面の洗浄を容易にすることができる。
【００１８】
洗浄体および／または連結体の、先細リブの領域の汚れを最小化するために、手持形洗い具は、フラットな先細リブが、円形区分に従った横断面を有するように形成されており、かつ／または平坦化されたリブと交互に設けられているように構成される。円区分もしくはセグメントに従って異形成形された面は、汚れをできるだけ少なくすることに関して最適化された、全て同じ僅かな湾曲を有している。このようにフラットな先細リブの尖端には汚れまたは水が極めて困難に付着し得る。先細リブと平坦化されたリブとが交互に位置している場合、先細リブの領域で良好な削剥効果が得られるのに対し、平坦化されたリブは強い面プレスを可能にしており、この強い面プレスは、汚れ粒子の効果的な搬出を意図して利用され得る。
【００１９】
汚れを少なくすることを意図した、手持形洗い具の別の最適化は、洗浄体の先細リブが、洗浄体の周囲を環状に延在するエッジに対して距離を置いて終わっていることにより生ぜしめられる。これにより、環状に延在するエッジの領域における、自動的な汚れおよび水排出が改善される。
【００２０】
手持形洗い具は、先細リブが、洗浄体の長手方向軸線に対して斜めに配置されていることにより特徴付けられる。手持形洗い具の一般的な使用時には、先細リブのはすば状配置に基づいて洗浄体の長手方向軸線の方向で通常は使用されて、先細リブの、除去したい汚れに対する鋤状の効果が生ぜしめられる。
【００２１】
さらに、手持形洗い具は、先細リブのリブエッジが波形に形成されており、かつ隣接する波形のリブエッジが、長手方向で位相ズレを有して配置されているように形成されることができる。このように形成した場合、波山と波谷とは交互に相並んで配置されていて、より詳細に言えば、リブの長手方向で見ても交互に、リブの長手方向に直交する方向で見ても交互に配置されており、つまり任意のリブエッジの、別の隣接するリブエッジに対する位相ズレに基づいて、上記のような波形が生ぜしめられる。このことは特に、大面積で均等な圧力負荷が重要ではない場合、例えばマッサージ体および浴用体のような場合に有利であり得る。
【００２２】
２つのリブ間にブラシ帯および／またはフォーム帯が配置されていることは有利であり得る。これらの帯により、特別な洗浄効果および連行効果が生ぜしめられる。これらの効果は特に洗浄体をマッサージ体および浴用体として使用する場合に望ましい。ストライプは美容調剤および医療調剤を塗り広げ、洗浄体との関連で、しかもマッサージしながら擦り込むこともできる。
【００２３】
洗浄体を用いて、柄を介在した影響なしに洗浄課題またはマッサージ課題すなわち対象を認識できるように、手持形洗い具が直接に洗浄体において確実に把持され得るようにするために、手持形洗い具は有利には、一方の球状の湾曲面が先細リブで占められており、他方の球状の湾曲面がエッジの近傍において環状に、グリップ用いぼ状突起で占められているように形成される。このグリップ用いぼ状突起は、握られた手持形洗い体が手中から容易には滑り出さないようにしている。グリップ用いぼ状突起は造形的なエレメントでもあり得る。
【００２４】
特に手持形洗い具をマッサージ体または浴用体として使用した場合、洗浄体に、調整可能なタイマおよび／または温度計が設けられていると有利である。この洗浄体は柄なしにマッサージ目的および浴用目的に使用され得るが、柄に結合されて使用されることもできる。
【００２５】
種々異なる洗浄目的およびマッサージ目的に適合させるために、手持形洗い具は、洗浄体が少なくとも一方の湾曲面および／または球状面に、小面積の突起を有しており、該突起が前記の面にわたって均等にかつ／または列を成して分布しており、外側で縁を角張らせて輪郭形成されているように構成されることができる。小面積の突起の構成次第で特に、手持形洗い具を視覚的に特別に魅力的に形成する可能性も得られる。
【００２６】
さらに、手持形洗い具を、洗浄体から離間した側の柄端部に、洗浄体の湾曲面の構造に相当する構造を備えたグリップが設けられているように形成することが可能である。手持形洗い具をそのように形成したことは、手持形洗い具の外見上の魅力を高めることを促進し、かつ手持形洗い具の滑り防止された把持を容易にするのみならず、限定された範囲でグリップを手持形器具の洗浄体として使用することも容易にする。
【００２７】
手持形洗い具の使用可能性は特に、手持形洗い具が洗浄体により支持容器内に支持されて保管されていることにより改善される。その結果として、手持形洗い具は所定の場所を有しており、この場所から手持形洗い具は把持されて取り出されることができる。この場合、手持形洗い具は柄を備えて形成されていても柄なしに形成されていてもよい。柄を備えて形成した場合、支持容器は洗浄体を、柄端部が自由であって、それにより手持形洗い具の把持が容易になるような形で保管することができる。
【００２８】
手持形洗い具を、支持容器に支持縁部が設けられており、該支持縁部が鉛直方向に対して所定の角度を有して傾いて配置されており、この所定の角度が、柄と洗浄体の洗浄突出部との間で形成された鋭角的な角度に相当しているように形成することは有利である。その結果、手持形洗い具は柄が鉛直になるように配置されることができる。その結果、たとえ支持容器がフラットに形成されても、手持形洗い具は、大きく身をかがめることなしに手が届くことができる。手持形洗い具とその支持容器とから成るユニットは水平に、省スペースに形成されることができる。
【００２９】
手持形洗い具の形成は、支持容器が円筒形の外壁を有しており、該外壁の、上側の縁部から、外壁の内部に位置する支持縁部にかけて、テーパを成した内壁が少なくとも部分的に形成されていることにより優れている。テーパを成した内壁は、柄を備えた手持形洗い具の正確な配置を容易にする。それというのは、洗浄体は、テーパを成した内壁により、洗浄体の、支持縁部上の座に案内されるからである。これにより、柄を用いた洗浄体の載置が容易になる。
【００３０】
手持形洗い具は、支持縁部が環状に、一貫した載置面すなわち座面として形成されており、該載置面が、載置された洗浄体の下側を通気する少なくとも１つの溝により中断されているように形成され得る。支持縁部の、一貫した載置面は洗浄体における確実な支持を可能にしている。下側を通風する溝によって、洗浄体の下側で閉鎖された支持容器内に、腐敗進行につながりかねない滞留空気が形成されないようにすることが実現される。
【００３１】
手持形洗い具の使用領域における一般的な衛生に関して、手持形洗い具は、支持容器が滴受け皿を有しており、該滴受け皿が支持縁部の内周部に連続的に接続されており、かつ／または滴受け皿および／または内壁が溝の領域で貫通孔なしに溝形成されているように構成される。滴受け皿を支持縁部の内周部に密に接続したことにより、洗浄体から流出したもしくは滴下した液体を完全に捕集することが保証される。相応して確実な捕集が同じく、滴受け皿が溝の領域で貫通孔なしに溝彫りされている場合に保証される。両方の手段は共に同じ意図で働く。
【００３２】
重量を少なく形成することを意図して、手持形洗い具は、支持容器が一貫して同じ壁厚さを備えて、プラスチックまたはガラスまたは金属から製作されているように構成され得る。
【００３３】
支持容器において洗浄体を特に確実に支持することは、支持縁部が、下側の湾曲面の、エッジに隣接する区分に対応するように傾けられているかつ／または形成されている場合に得られる。このことにより適当な形状接続および／または摩擦接続が実現される。支持縁部の、傾斜させられた面は、洗浄体の、下側の湾曲面の区分の全面的な載置を可能にしている。洗浄体が支持領域で例えば先細リブを備えて形成されている場合、支持縁部はそれ相応に成形され得る。
【００３４】
以下に図面を参照しながら本発明の実施例について詳説する。
【００３５】
手持形洗い具１０は洗浄体１２を有しており、洗浄体１２に一体的に連結体１８が設けられており、連結体１８はアダプタピン１９を包囲している。アダプタピン１９は連結体１８から、柄連結端部１９′で突出しており、この柄連結端部１９′に柄１１が被せ嵌められている。柄１１の全長は図示されていない。ただし、柄１１の全長は図４〜図６に示した手持形洗い具の描写から明らかである。
【００３６】
図１〜図４の洗浄体１２は、その主平面１４の輪郭で見て、水滴形に形成されている。このことは図２および図３から明らかである。水滴形状はエッジ１３によって輪郭が定められており、エッジ１３は平面１４において連続的に環状に巡っており、不連続箇所は有していない。エッジ１３、もしくは該エッジ１３により定められた平面１４を基準として洗浄体１２は両側に向かって球状に形成されている。つまり、洗浄体１２は、柄側に位置する球状の湾曲面１６と、柄とは反対側に配置されている球状の湾曲面１７とを有している。それに基づき、洗浄体１２は扁平な水滴形もしくはクッション形に形成されている。
【００３７】
洗浄体１２および連結体１８は図平面で見て、角度αを成して組み立てられている。角度αは図１に、平面１４と、柄１１の軸線、アダプタ１９の軸線、および連結体１８の軸線に重複する軸線との間で記入されている。
【００３８】
さらに、洗浄体１２と連結体１８との間の組み立ては、偏心が与えられているように実施される。洗浄体１２は洗浄突出部１５を形成している。この洗浄突出部１５は軸線２２に関して非対称的に張り出して配置されている。この非対称と、前述したような洗浄体１２の角度配置とにより、手持形洗い具１０はハーケン形に形成されている。
【００３９】
さらに、洗浄体１２を非対称的に形成したことにより、連結体１８をエッジ１３から球状に形成する可能性が容易になるので、球状面２０が形成される。この球状面２０は洗浄体側でエッジ１３で、つまり洗浄突出部１５の尖端に対して対向して位置する箇所で終わっている。連結体１８の球状面２０は、連結体１８の、柄側の端部１８′から間隔を置いて終わっている。球状面２０と端部１８′との間の領域で、連結体１８は実質的に円筒形に、球状面２０に向かって肉厚化する壁厚さを備えて形成されている。ところで、洗浄体１２への連結体１８の移行領域は、大きな半径を有して形成されているので、連結体１８と洗浄体１２との結合領域に、堅牢で安定した結合領域が生ぜしめられ、この結合領域内にアダプタピン１９は固定突起１９″を、アダプタピンの、連結体１８からの引き抜き強度を拡大するために有していることができる。ところで、柄１１と柄連結端部１９′との間の結合強度は、そこに設けられた係止結合部１１０によって決定される。
【００４０】
洗浄体１２を柄１１に、上述したような形で結合した結合部は、極めて安定に形成されているが、構造上手間もかかってしまう。それゆえ、図５に示したような例が考慮され、この場合、堅牢な洗浄体１２に切欠き３０が設けられていて、切欠き３０内に柄が直接に固定されている。柄１１の当該の端部は切欠き３０内にプレス嵌めされ、かつ／または接着されており、かつ／または洗浄体および連結体の射出成形時に一緒に包囲されている。
【００４１】
図５に示した連結体１８０は決して、図１に示されている連結体１８のように瓶首状には形成されていない。むしろ連結体１８０は隆起状に形成されていて、この場合短く保たれているので、連結体と洗浄体とから成る構成ユニットは極めてコンパクトである。このことは材料を節減し、手持形洗い具は全体的に、比較的に軽量であることができる。その製造は簡単化されている。
【００４２】
洗浄体１２の湾曲面１６，１７と、連結体１８の球状面２０および柄側の端部１８′とに、フラットな先細リブ２１が設けられている。上に挙げた面の、先細リブ２１の領域の横断面が図１ａに示されている。本図には先細リブ２１が、円区分もしくはセグメントに従った横断面を成すようにして形成されている様子が示されている。生ぜしめられる円は符号２３を付与されている。先細リブ２１は、洗いたい面上に存在する汚れを良好に除去するために働く。先細リブ２１はその面に沿って摺動することができる。
【００４３】
先細リブ２１の配置は図中でははすがいに、つまり洗浄突出部１５により決定された長手方向軸線１２′に対して斜めに示されている。先細リブ２１はエッジ１３から距離をおいて終わっている。このことは一方でエッジ１３を不連続部なしに形成することを可能にするので、エッジ１３は引っ掻きもしくはそぎ落としのために良好に使用されることができる。さらに、先細リブ２１がエッジ１３に対して間隔を置いて延びていることは、エッジ１３の領域において汚れが洗浄体１２もしくは連結体１８に発達してしまうことを防止する。
【００４４】
洗浄体１２と連結体１８とは有利には１つの部材から、例えば射出成形により製作されている。洗浄体１２と連結体１８の材料は防汚性であって、つまり汚れがつきにくい。例えば、十分に微小孔もしくは均質に形成されることができて、その際、自己加脂性（ｓｅｌｂｓｔｆｅｔｔｅｎｄ）の表面を備えたポリウレタンフォームが使用される。射出成形時にアダプタピン１９は射出成形材料により包囲され、固定的な結合が製作される。
【００４５】
洗浄体１２と連結体１８とは、僅かな程度で弾性的な材料から成っているので、掃除したい対象物の狭小な領域内での変形が可能であって、引っ掻きにより対象物を損傷をしてしまう恐れが排除される。
【００４６】
図４には、防臭装置２４′を備えた便器２４が示されており、防臭装置２４′内には水２５が溜められている。特にこの領域内を頻繁に掃除しなければならない。それというのは、ここに容易に堆積物もしくは沈殿物が形成され得るからである。それゆえ、手持形洗い具１０はここでは主にその湾曲面１７が使用されるが、連結体１８の球状面２０もしくは端部１８′も使用される。ここに形成された潤滑膜ゾーンは確実に洗浄されることができる。
【００４７】
さらに、手持形洗い具１０の湾曲面１７は有利にはＷＣ・皿部２６を掃除するために使用されることができる。このことは同じく図４に示されている。
【００４８】
便器２４の器内縁部２７は有利には連結体１８の球状面２０によって掃除されることができるが、連結体１８の端部１８′で掃除されてもよい。
【００４９】
便器２４の内縁部２８の掃除は手持形洗い具１０により、有利には洗浄突出部１５を用いて行われる。洗浄突出部１５の尖端はアンダカット内に導入されることができる。尖端１５の領域の湾曲面１７と、尖端１５の領域の湾曲面１６とが、アンダカット面の掃除のために有利には使用されることができる。ここでも先細リブ２１は汚れ残分を徹底的に洗浄する働きをしている。
【００５０】
図１〜図５に、特にＷＣ掃除用具として適した手持形洗い具１０が示されているのに対し、図６〜図１７に示した手持形洗い具はとりわけ身体洗い具として、要するに生命体の身体をマッサージするために、有利には使用されることができる。図６には、そのような手持形洗い具１０が示されており、この手持形洗い具１０は、弱いカーブを描いた柄１１０に組み付けられている洗浄体１２０を有している。使用するために手持形洗い具１０は、柄端部３８に形成されているハンドグリップ３９で保持される。ハンドグリップ３９は例えば２つのプラスチック半シェルから製作されていて柄１１０に被着するように射出成形されている。柄１１０は柄１１と同様に例えば湾曲したアルミニウム管から成っている。ハンドグリップ３９は異形成形されているので、ハンドグリップ３９は滑りにくく手中に収まる。ハンドグリップ３９の構造は、洗浄体１２０の、身体側の湾曲面１７に形成されている構造に相応している。この湾曲面１７は、洗浄体１２の場合と同様に、エッジ１３によって形成された平面１４の一方の面に位置している。
【００５１】
図７には拡大された側面図が示されており、この図から柄１１０と洗浄体１２０との組付けも判る。洗浄体１２０は切欠き３０を有しており、切欠き３０は洗浄体１２０の長手方向軸線１２′の方向で配置されている。切欠き３０は僅かに平面１４の上側に位置しているので、柄１１０は事実上この平面に沿って一直線に配置されている。柄１１０は解離可能である。それというのは、柄１１０がその端部にフック１１０′を有していて、このフック１１０′が孔４０内に係入するからである。孔４０は、両面を扁平球状に形成された洗浄体１２０の、上側の湾曲面を貫通して切欠き３０にまで形成されている。フック１１０′は上方から接近可能であるので、係止手段３１は、上方からフック１１０′を押圧し同時に柄１１０を引っ張ることによって解離されることができる。
【００５２】
上側の湾曲面１６には、エッジ１３の近傍に多数のグリップ用いぼ状突起３４が存在している。このグリップ用いぼ状突起３４は環状に、しかも直接的に至近に、かつエッジ１３自体の上にも形成されているので、洗浄体１２０は、手に包み込まれた場合でも滑ることはない。
【００５３】
一方で洗浄体１２０はエッジ１３の近傍にしかグリップ用いぼ状突起３４を有していないので、上側の湾曲面１６の、大きな内側の領域は空いている。この領域は図８の図示に示したように、つまみ３５′を用いて調節可能な時計もしくはタイマー３５を組み込むために使用される。その他に、洗浄体１２０内には温度計３６が配置されており、温度計３６により温度が大きく目視的に読み取れる。図示の場合では４０℃の位置にある温度指示の手段は、柄近傍の淡青色からタイマー近傍の濃赤色へと順々に高くなる色等級が生ぜしめられるように配置されている。温度計の図示の例は約４０℃の温度を指している。この場合、洗浄体１２０に、固定的に備え付けられた柄１１０が設けられているのが有利であって、それにより、前述のタイマーおよび温度計の組付けのために必要なスペースが確保される。
【００５４】
図８に示した、洗浄体１２０を長円形に形成することは、図９からも見て取ることができる。図９には特に図７の下面が示されている。洗浄体１２０の長円形の形状は楕円状である。それというのは、洗浄体１２およびその水滴形状尖端の場合のように洗浄突出部１７を備えて洗浄体を形成することは、それ程重要度ではないからである。しかし、洗浄体１２０を水滴形に形成することも可能である。洗浄体１２０の湾曲面１７には、図１ａに示されているような、長手方向１２′に対して斜めに配置された先細リブ１２が設けられている。ただし、先細リブ間にブラシ帯３２とフォーム帯３３とが存在しており、両者はより詳細に図１１に示されている。ブラシ帯３２とフォーム帯３３とは先細リブ２１を凌駕しているが、洗いたいまたは処置したい表面に洗浄体１２０を載置した場合には押し潰されて、先細リブ３１は、当て付けられて擦過するように働くことができる。
【００５５】
図１０に示されているように、先細リブ２１のリブエッジ２１′，２１″は波形に形成されていてもよい。つまり、先細リブ２１の長手方向で見て交互に波山と波谷とが、その都度ほぼ同じ大きさの振幅を有して存在している。ただし、隣接する波形のリブエッジ２１′，２１″は長手方向でずらされて、つまり位相シフトされている。このことにより相応に、処置したい表面に洗浄体１２０を載置する際に押圧箇所が互いにずらされることが達成される。このように形成したことは特に点的なマッサージに効果的である。
【００５６】
図１２には、先細リブ３１を備えた湾曲面１７の形成が示されており、先細リブ２１は、平坦化されたリブ４００に代えられている。それにより、先細リブ２１の変形の制限が達成される。
【００５７】
洗浄体１２，１２０はその都度完全な長円形に形成されている。これにより、両面で扁平球状に形成したことと相俟って、洗浄体は、特に衛生分野での洗浄目的のためにも使用可能である。しかし、手持形洗浄体が、その円周のほんの一部分にエッジを備えて形成されて、そのエッジから扁平球状の湾曲面１６，１７が延びるようにすることも可能である。
【００５８】
図１３〜図１７には、湾曲面１７の構成が模様状に概略的に示されている。湾曲面１７は図１３〜図１７においてはもはや長円形の形状には描かれていない。双方向矢印はその都度４つの例えば運動方向を示唆しており、この運動方向で洗浄体１２，１２０は運動させられることができる。湾曲面１７はその都度、小面積の突起３７〜３７Ｖで占められている。それぞれ図１３〜図１７に示されたこれらの突起３７〜３７Ｖは種々異なる形式で形成されており、この場合、その美的な模様効果の観点からも選び抜かれている。ただし、特に突起３７〜３７Ｖは外側で、角張った輪郭を与えられている。このことは各図面に詳細に示されている。
【００５９】
図１３には、角隅汚れを回避するために、湾曲面１７に向かって延びる丸味を帯びた溝を備えた、外側で実質的に十字形の角張った突起が示されている。
【００６０】
図１４には、細い小舟状の突起３７′が示されており、これらの突起３７′は、花弁状もしくは星状にグループを成しているので、突起３７′の長手方向列、横方向列および対角線方向列が生ぜしめられる。
【００６１】
図１５には、四方に放射している星のような突起３７″が示されており、その空間的な形状は図１５ａから見て取れる。
【００６２】
図１６には、４つごとにグループを成している突起３７ＩＶが示されている。各突起３７ＩＶは錐面ディスク（Ｋｅｇｅｌｍａｎｔｅｌｓｃｈｅｉｂｅ）のように形成されている。その円錐形の外周が湾曲面から突出しており、その際、円錐形の外周の、低い側の区分はすべて互いに隣接しているようになっており、さらに、その最も幅の広い突出したエッジが互いに可能な限り遠く離れて位置しているようになっている。このことは、特に断面Ａ−Ａからよく判るように、一種のスパイク効果（Ｓｔｏｌｌｅｎｗｉｒｋｕｎｇ）を生ぜしめる。
【００６３】
図１４の突起３７′が種々異なる大きさである一方で、突起３７，３７″〜３７Ｖは同じ大きさもしくは同一形状に形成されている。これは突起３７Ｖにも言えて、突起３７Ｖは、図１７ａに図示されているように、突起した、比較的に狭小な底辺部を備えた二等辺三角形から成っている。突起３７Ｖは列を成して、ただし隣接する突起に関連して、その都度頂点が逆の方向を指しているように配置されている。このように配置したことで、一方では突起３７Ｖの比較的密な詰め込みが得られ、他方ではさらに、この構成の優先方向を生ぜしめる原因も得られる。この構成では、洗浄体１２，１２０は三角形の突起３７Ｖの方向で、これに対して直交する方向よりも僅かな摩擦で運動させられる。
【００６４】
図１８に示した支持容器５０は洗浄体１２または１２０を支持する働きをしている。支持容器５０は、洗浄体１２が図１に示したような柄１１を備えて使用される場合に特に有利である。この場合、柄１１は必要に応じて垂直に上方に向かって屹立しているのに対し、洗浄体１２は支持容器５０内に保管されて支持されている。
【００６５】
支持容器５０は円筒形の外壁５２を有しており、下側の縁部５０′によって床の上に支持される。上側の縁部もしくは上側のエッジ５３は、洗浄体１２または１２０を差し込むための適当な差込開口を形成している。ただし洗浄体１２０が図７に示したように形成されている場合は、柄１１０なしに保管されるべきである。支持縁部５１は洗浄体１２，１２０の形状に適合されている。支持縁部は、洗浄体１２の、図２，図３に示された水滴形状に合わせられている。そのような水滴形状の洗浄体１２は縁区分で載置される。この縁区分を備えて、下側の湾曲面１７はエッジ１３に隣接して形成されている。図１８の図示において想定されていることは、この縁区分が平滑である、つまり先細リブ２１が支持縁部上に位置することにはならない点である。このことが該当するならば、支持縁部５１に、適当な切欠きもしくは凹欠部が設けられていることができる。両側の当接面の領域で全面的に手持式洗い具１２，１２０が支持されることが保証されるので、手持形洗い具１２，１２０は、特に柄を備えて形成された場合に、確実に、特にぐらつくことなしに保持されることができる。
【００６６】
可能な限り垂直に柄１１を配置するという観点で、支持縁部５１は、鉛直方向に対して角度を有して傾けられて配置されている。この角度は、図１に示した柄１１と洗浄体１２の洗浄突出部１５との間の鋭角αに一致する。それに応じて、支持縁部５１はその水滴形状の尖端５７の領域において上側のエッジ５３に、ベース５８におけるよりも近くに配置されている。
【００６７】
上側のエッジ５３は支持縁部５１に、内壁５４を介して接続されており、内壁５４は洗浄体１２，１２０を、支持容器５０内への挿入時に支持縁部５１へと案内する。それにより、内壁５４のテーパ加工は洗浄体１２，１２０の挿入を容易にする。このために、内壁５４は支持縁部５１の全周にわたって一貫して形成されている必要はない。しかしながら、一貫して形成されていることは支持容器の安定性の観点で、かつ衛生の観点からも望ましい。この有利な構成は特に、この支持容器が一貫して同じ壁厚さに製作されていることによって達成され得る。製造は例えばプラスチックの射出成形、ガラスのプレス成形により、または金属の深絞り変形により実施される。これにより有利には支持容器５０の、下方に向かって閉じた構成が生ぜしめられる。特に支持縁部５１の内周に引き続いて滴受け皿５６が形成されており、滴受け皿５６は、滴り落ちるもしくは滴下する液体を受けることができるので、床の汚れが回避される。支持容器５０を、下方に向かって閉じて形成したことは、支持容器５０の洗浄を簡単にすることに役立つ。
【００６８】
特別なこととしては、支持容器５０は２つの互いに対向して位置する溝５５を有しており、溝５５は、載置してある洗浄体１２，１２０の下を通気している。溝５５は舟形に形成されており、支持縁部５１に対して直交する方向で、内壁５４の領域から滴受け皿５６の領域にまで延びており、それ自体には開口を有していない。載置してある洗浄体１２，１２０の下を通気することにより、空気のよどみが低減され、汚れた場合にその結果として場合によっては形成される腐敗プロセスが低減される。
【図面の簡単な説明】
【図１】
手持形洗い具の側面図である。
【図１ａ】
図１に示した手持形洗い具の洗浄体の洗浄部断面を示す図である。
【図２】
図１に示した手持形洗い具を柄の方向から見た概略的な上面図である。
【図３】
図１に示した手持形洗い具を柄とは逆の方向から見た下面図である。
【図４】
図１に示した手持形洗い具が種々異なる洗浄位置で図示されている、トイレ便器の横断面図である。
【図５】
柄を備えた手持形洗い具の概略的な全体図である。
【図６】
身体洗い具としてのマッサージブラシおよび浴用ブラシを意図して形成した手持形洗い具を示す図である。
【図６ａ】
図６に示した手持形洗い具のハンドグリップの拡大図である。
【図６ｂ】
図６ａに示したハンドグリップの柄端部を示す図である。
【図７】
図６に示した洗浄体の拡大側面図である。
【図８】
図６に示した洗浄体の拡大上面図である。
【図９】
図７に示した洗浄体の拡大下面図である。
【図１０】
先細リブのエッジ形成の１つのバリエーションを備えた洗浄体の、図９にＡで示した方向で見た概略的な断面図である。
【図１１】
洗浄体の湾曲面の異形形成を説明するための図である。
【図１２】
洗浄体の湾曲面の異形形成を説明するための、図１１に類似した図である。
【図１３】
小面積の突起を備えた湾曲面の概略図および斜視図である。
【図１３ａ】
図１３に示した突起の側面図および平面図である。
【図１４】
別の小面積の突起を備えた湾曲面の概略図である。
【図１４ａ】
図１４に示した湾曲面の断面図である。
【図１５】
別の小面積の突起を備えた湾曲面の概略図である。
【図１５ａ】
図１５に示した突起の平面図および斜視図である。
【図１６】
別の小面積の突起を備えた湾曲面の概略図である。
【図１６ａ】
図１６に示した突起の斜視図および断面図である。
【図１７】
別の突起を備えた湾曲面の概略図である。
【図１７ａ】
図１７に示した突起の斜視図および詳細図である。
【図１８】
手持形洗い具の洗浄体を用いて手持形洗い具を支持するための支持容器の概略的な斜視図である。
【国際公開パンフレット】
2004516912.tif 000003
2004516912.tif 000004
2004516912.tif 000005
2004516912.tif 000006
2004516912.tif 000007
2004516912.tif 000008
2004516912.tif 000009
2004516912.tif 000010
2004516912.tif 000011
2004516912.tif 000012
2004516912.tif 000013
2004516912.tif 000014
2004516912.tif 000015
2004516912.tif 000016
2004516912.tif 000017
2004516912.tif 000018
2004516912.tif 000019
2004516912.tif 000020
2004516912.tif 000021
2004516912.tif 000022
2004516912.tif 000023
2004516912.tif 000024
2004516912.tif 000025
2004516912.tif 000026
2004516912.tif 000027
2004516912.tif 000028
2004516912.tif 000029
2004516912.tif 000030
2004516912.tif 000031
2004516912.tif 000032
2004516912.tif 000033
2004516912.tif 000034
2004516912.tif 000035
2004516912.tif 000036
2004516912.tif 000037
2004516912.tif 000038
2004516912.tif 000039
2004516912.tif 000040
2004516912.tif 000041
2004516912.tif 000042
2004516912.tif 000043
2004516912.tif 000044
2004516912.tif 000045
2004516912.tif 000046
【国際調査報告】
2004516912.tif 000047
2004516912.tif 000048
2004516912.tif 000049
2004516912.tif 000050
2004516912.tif 000051
2004516912.tif 000052